【事件の表示】
　平成１年特許願第１９１９９２号「電気掃除機の吸込口」拒絶査定に対する審判事件〔平成２年３月１６日出願公開、特開平２−７７２２０、平成７年７月１２日出願公告、特公平７−６３４４１、請求項の数（１）〕について、次のとおり審決する。
【結　論】
　原査定を取り消す。
　本願の発明は、特許すべきものとする。
【理　由】
【１】手続の経緯・本願発明
　本願は、昭和６１年２月２８日に出願された特願昭６１−４５７６２号の一部を平成１年７月２４日付けで新たな特許出願（特願平１−１９１９９２号）とした出願であって、平成７年７月１２日に出願公告（特公平７−６３４４１号）されたところ、平成７年１０月１１日付けで三洋電機株式会社より、続いて平成７年１０月１２日付けでホンダ電気工業株式会社より、同じく平成７年１０月１２日付けで松下電器産業株式会社より、それぞれ特許異議の申立てがなされ、その後、平成１０年４月１０日付けで上記三洋電機株式会社が甲第１号証として提出した実願昭４９−６３１４６号（実開昭５０−１５２４６５号）のマイクロフィルム、甲第２号証として提出した特開昭６０−１７６６１８号公報そして甲第５号証として提出した実願昭５１−４８４１６号（実開昭５２−１３９６７５号）のマイクロフィルムを採用して、『本願発明は特許法第２９条第２項の規定により、特許を受けることができない。』、よって、『この特許異議の申立は、理由があるものと決定する。』との特許異議の決定がなされ、同日付けで『この出願は、特許異議の決定に記載した理由によって拒絶をすべきものと認める。』との拒絶査定がなされたものである。
　そして、本願発明の要旨は、出願公告された明細書及び図面の記載、並びに平成１０年８月３日付けで適法になされた明細書についての補正の内容からみて、その特許請求の範囲の第１項に記載されたとおりの、
「下面に吸塵開口部を有した吸込口本体内に、回転ブラシと、該回転ブラシを伝達機構を介して回転駆動させる電動機と、該電動機に電源を供給する給電手段の電気部品とを設け、
　上記吸込口本体の後端部に駆動パイプを俯仰角調整可能に設け、
　該駆動パイプの先端部に、上記吸込口本体に対し当該駆動パイプを俯仰角調整可能に軸支する回動軸を一体に設け、
　上記吸塵開口部から吸い込まれた塵埃を電気掃除機の吸込動作にて上記駆動パイプ内に吸い込むために当該駆動パイプの内部空間に連通させて吸塵経路を形成した電気掃除機の吸込口において、
　上記吸込口本体に上記電気部品若しくは上記電動機を冷却する冷却風を吸気するための冷却風吸気口を設け、
　上記吸込口本体に、上記駆動パイプに一体に設けた回動軸にて上記駆動パイプを軸支した軸支部分に設けられた吸気空間から上記冷却風を電気掃除機の吸込動作にて上記駆動パイプ内に吸い込むための冷却風経路を上記吸塵経路とは別に上記駆動パイプの内部空間に連通させて形成してなることを特徴とする電気掃除機の吸込口。」
にあるものと認める。
【２】引用例
　これに対して、
［２−１］上記実願昭４９−６３１４６号（実開昭５０−１５２４６５号）のマイクロフィルム（以下、「引用例１」という。）には、
（１）その明細書第２頁第１４行〜第４頁第１８行の
『電気掃除機１は、・・・（中略）・・・Ｔ字状の接手１６の部分に連通されている。
　上記電動機１２を内蔵する電動機室１７には、前記電動機１２を冷却するための吸気孔１８を前記ケーシング６上面中央付近に設け、外部より冷却空気を取り入れられるようにし、・・・（中略）・・・２８は吸込口本体５に内蔵の電動機１２に給電するコード、２９は吸込口本体５のケーシング６の外周側部に設けられたバンパーである。』
なる記載、そして
（２）図面の記載内容、特に、第３図において、延長管４が接続されるＴ字状の接手１６のＴ字の横棒に相当する部分の両端部が、吸込口本体５に対して当該接手１６を俯仰角調整可能に軸支する回動軸として機能するように構成されている点、等からみて、
「下面に吸塵開口部（引用例１記載のものにおける「吸込開口２５」に対応する。以下、括弧内は引用例１に記載の対応部分を示す。）を有した吸込口本体内に、回転ブラシと、該回転ブラシを伝達機構（プーリー１１、ベルト１４、プーリー１３）を介して回転駆動させる電動機と、該電動機に電源を供給する給電手段の電気部品（コード２８）とを設け、
　上記吸込口本体の後端部に駆動パイプ（Ｔ字状の接手１６）を俯仰角調整可能に設け、
　該駆動パイプの先端部に、上記吸込口本体に対し当該駆動パイプを俯仰角調整可能に軸支する回動軸（第３図におけるＴ字状の接手１６のＴ字の横棒に相当する部分の両端部参照）を一体に設け、
　上記吸塵開口部から吸い込まれた塵挨を電気掃除機の吸込動作にて上記駆動パイプ内に吸い込むために当該駆動パイプの内部空間に連通させて吸塵経路（吸引通気路８、吸込口１５）を形成した電気掃除機の吸込口（電動式吸口）において、
　上記吸込口本体に上記電動機を冷却する冷却風を吸気するための冷却風吸気口（吸気孔１８）を設けた電気掃除機の吸込口」、
が記載されていると認められる。
［２−２］また、特開昭６０−１７６６１８号公報（以下、「引用例２」という。）には、
（１）その公報第２頁右上欄第８〜２０行の
『第１図ないし第４図に本発明の一実施例を示す。該図においてパワーブラシは一対の上ケース１と下ケース２によりその外かくが構成されている。これらの・・・（中略）・・・この回転ブラシ６の回転によってじゅうたんの汚れのかき出し作用を行なうようになっている。』
なる記載、
（２）同第２頁右下欄第１６行〜第３頁左上欄第５行の
『２１はケーシングで、上，下ケース１，２の間に揺動自在に挿入してある。２２は・・・（中略）・・・パワーブラシの本体を構成する上，下ケース１，２等は上下の揺動できたり、左右に揺動できたりして自在に動作できる。』
なる記載、
（３）同第３頁右上欄第３〜６行の
『フアン３を発生源とする電動機４の冷却風は、第４図において矢印で示すような循環風となるもので、この循環冷却風により電動機４の発生熱は拡散放熱できるものである。』
なる記載、および
（４）同第３頁左下欄第２〜１３行の
『電動機４には冷却用のフアン３側でかつフアン３の吐出側に電動機４の整流電源を得る整流器３０、・・・（中略）・・・等の電気部品を配設し、これら電気部品の温度上昇の低減を図ってある。・・・（中略）・・・抵抗３３もフアン３の吐出側に配設すれば特に有効である。』
なる記載、そして
（５）図面の記載内容、特に、第１，２図において、ケーシング２１の両側部が上，下ケース１，２の間に挿入されて当該ケーシング２１を上下に揺動自在に軸支する回動軸として機能するように構成されている点、
等からみて、
「下面に吸塵開口部（例えば、第１，２図における下ケース２の下面側参照）を有した吸込口本体（パワーブラシの本体）内に、回転ブラシと、該回転ブラシを伝達機構（動力伝達機構）を介して回転駆動させる電動機と、該電動機に電源を供給する給電手段の電気部品（整流器３０、雑音防止用チョークコイル３１、コンデンサ３２ａ，３２ｂ等の電気部品）とを設け、
　上記吸込口本体の後端部に駆動パイプ（ケーシング２１）を俯仰角調整可能（上下に揺動自在）に設け、
　該駆動パイプの先端部に、上記吸込口本体に対し当該駆動パイプを俯仰角調整可能に軸支する回動軸（第１，２図におけるケーシング２１の両側部参照）を一体に設け、
　上記吸塵開口部から吸い込まれた塵埃を電気掃除機の吸込動作にて上記駆動パイプ内に吸い込むために当該駆動パイプの内部空間に連通させて吸塵経路（ごみの流路）を形成した電気掃除機の吸込口（パワーブラシ）において、
　上記吸込口本体に上記電気部品若しくは上記電動機を冷却する冷却風を循環するためのファン３を設けた電気掃除機の吸込口」、
が記載されていると認められる。
［２−３］更に、実願昭５１−４８４１６号（実開昭５２−１３９６７５号）のマイクロフィルム（以下、「引用例３」という。）には、
（１）その明細書第１頁第５〜９行（実用新案登録請求の範囲）の
『回転ブラシを駆動する電動機を具備した電動式床ノズルにおいて、上記回転ブラシからの塵埃を電気掃除機へと導く通路の一部に電動機を設置した空間と連通する穴を設け、この穴に一方向性の弁を設けたことを特徴とする電動式床ノズル。』なる記載、および
（２）同第２頁第１７行〜第３頁第８行の
『図において、１は電動式床ノズル本体で、・・・（中略）・・・一方向性の弁１０が取付けられている。』
なる記載、そして
（３）図面の記載内容
等からみて、
「下面に吸塵開口部（吸引口６）を有した吸込口本体（電動式床ノズル本体１）内に、回転ブラシと、該回転ブラシを伝達機構（ベルト４）を介して回転駆動させる電動機とを設け、
　上記吸込口本体の後端部に通路パイプ７を設け、
　上記吸塵開口部から吸い込まれた塵埃を電気掃除機の吸込動作にて上記通路パイプ７内に吸い込むために当該通路パイプ７の内部空間に連通させて吸塵経路（通路）を形成した電気掃除機の吸込口（電動式床ノズル）において、
　上記通路パイプ７に電動機を設置した空間８と連通する穴９を設け、この穴９に一方向性の弁１０を設けた電気掃除機の吸込口」、
が記載されていると認められる。
【３】対比・判断
　本願発明と上記引用例１に記載されたもの（以下、「引用例１のもの」という。）、上記引用例２に記載されたもの（以下、「引用例２のもの」という。）そして上記引用例３に記載されたもの（以下、「引用例３のもの」という。）とを比較すると、上記引用例１のもの、引用例２のものそして引用例３のもののいずれにも、本願発明の構成に欠くことができない構成要件の一つである、
「吸込口本体に、駆動パイプに一体に設けた回動軸にて上記駆動パイプを軸支した軸支部分に設けられた吸気空間から冷却風を電気掃除機の吸込動作にて上記駆動パイプ内に吸い込むための冷却風経路を吸塵経路とは別に上記駆動パイプの内部空間に連通させて形成してなる」構成、
を備えていない。
　そして、本願発明は、上記の構成を有していることにより、明細書に記載の作用、効果を奏するものと認められる。
　したがって、本願発明は、当業者が上記引用例１のもの、引用例２のものおよび引用例３のものに基いて容易に発明をすることができたものであるとすることができない。
【４】むすび
　以上述べたとおり、原査定の理由によって本願を拒絶することはできない。
　また、他に本願を拒絶すべき理由を発見しない。
　よって、結論のとおり審決する。